(57)【要約】      （修正有）【課題】簡単に組立可能な埋設ボックスを提供する。【解決手段】地中に埋設する埋設ボックス本体１と、この埋設ボックス本体１の天井盤２の開口部３に連通させて連結固定する縁塊体１０と、埋設ボックス本体１上に縁塊体１０を連結固定させる連結手段５とを備える。連結手段５は、縁塊体１０の周縁で外方に突出させて縁塊体１０に一体状になっている連結具７と、この連結具７に挿通して天井盤２上に配置してあるインサート６にねじ込む長ネジ材１１とから成る。連結具７は、縁塊体１０に埋め込む埋設部８と、縁塊体１０から露出して、インサート６にねじ止めするようネジ挿通孔を開穿してある連結部９とを有して、また、連結部９は天井盤２に当接するよう縁塊体１０の底面と面一状に構成する。【選択図】図１
0003166082.tif 000002
【実用新案登録請求の範囲】
【請求項１】
地中に埋設される埋設ボックス本体と、この埋設ボックス本体の天井盤の開口部に連通させて連結固定される縁塊体と、埋設ボックス本体上に縁塊体を連結固定させる連結手段とを備えて成り、連結手段は、縁塊体の周縁で外方に突出させて縁塊体に一体状になっている連結具と、この連結具に挿通され、天井盤上に配置されているインサートにねじ込まれる長ネジ材とから成ることを特徴とする埋設ボックス。
【請求項２】
連結具は、縁塊体に埋め込まれる埋設部と、縁塊体から露出され、インサートにねじ止めされるようネジ挿通孔が開穿されている連結部とを有して成る請求項１に記載の埋設ボックス。
【請求項３】
連結部は天井盤に当接するよう縁塊体の底面と面一状にしてある請求項２に記載の埋設ボックス。
【請求項４】
埋設ボックス本体と縁塊体との間には、開口部に連通させて調整リングが介在され、この調整リングは、調整リングの周縁で外方に突出させて調整リングと一体状になっている連結具を備えている請求項１乃至３のいずれかに記載の埋設ボックス。
【請求項５】
連結具は、調整リングに埋め込まれる埋設部と、調整リングから露出され、インサートにねじ止めされるようネジ挿通孔が開穿されている連結部とを有して成る請求項４に記載の埋設ボックス。
【請求項６】
連結部は天井盤に当接するよう調整リングの底面と面一状にしてある請求項５に記載の埋設ボックス。
【請求項７】
連結手段の長ネジ材は、積み重ねた調整リングと縁塊体とで上下に配されている連結具それぞれに挿通させて天井盤のインサートにねじ込まれる請求項４乃至６のいずれに記載の埋設ボックス。
【考案の詳細な説明】
【技術分野】
【０００１】
この考案は地中に埋設される各種のケーブル等の配線、配管等を集約し、また分岐するように地中表面に埋設されるもので、内部点検その他のための作業員等が容易に出入りできるようにし、また簡単に施工でき、地表とのレベル調整も容易にしたハンドホール、マンホール等の各種の埋設ボックスに関する。
【背景技術】
【０００２】
従来から、地中に埋設される各種の配線、配管は、地表に露出されて地中に埋設されるハンドホール、マンホール等の各種の埋設ボックスを利用してそれらを集約したり、分岐したりする。これらの埋設ボックスは、底壁部分を備え、周壁の一部に薄肉状のノックアウト部分を有する筒状の本体と、この本体内に作業員その他を出入りさせるようにして地表面に露出される枠状の出入り口部（縁塊）とから成り、例えば現地組立式のものとして構成されるように提供されている。
【０００３】
この種の埋設ボックスとしては例えば特許文献１に係るコンクリート製ボックスがある。このコンクリート製ボックスは、コンクリート製のボックス本体の天井壁上に出入口筒を連結固定するものとし、出入口筒の外周面と天井壁上面とにそれぞれインサートを取り付けておき、このインサートにボルト止めされる縦部分、横部分を有する略Ｌ字型プレートから成る高さ調整装置によってボックス本体上に出入口筒を固定して成る。
【０００４】
この従来のコンクリート製ボックスは、ボックス本体と出入口筒との連結固定による現地組立式のものであることによって、運搬や保管の障害にならず、安全で精度の良い施工が可能であり、多種多様な調整リング、傾斜リングの使用で現場に適した高さ調整を行える利点が得られるとする。
【先行技術文献】
【特許文献】
【０００５】
【特許文献１】特開平１１−２４７２１３号公報
【考案の概要】
【考案が解決しようとする課題】
【０００６】
ところが、この従来のコンクリート製ボックスによると、ボックス本体の天井壁とこのボックス本体上の出入口筒との両者のインサートそれぞれに、ボックス本体、出入口筒それぞれに跨るように略Ｌ字型の高さ調整装置を宛がい、高さ調整装置の縦部分、横部分それぞれをねじ止めする必要があるから、その連結固定作業は、面倒である。また、この高さ調整装置はボックス本体、出入口筒等とは別部材となっているために、取扱いも煩わしい。
【０００７】
そこでこの考案は叙上のような従来存した諸事情に鑑み案出されたもので、その目的は埋設ボックス本体と、この埋設ボックス本体上に載置される出入り用の枠状の縁塊体更には高さ調整のための枠状の調整リングとの結合組立に際し、埋設ボックス本体に連結固定する連結具を縁塊体あるいは調整リング等に埋め込み一体化させ、連結具を埋設ボックス本体にねじ止めするのみで組立可能にした埋設ボックスを提供することにある。
【課題を解決するための手段】
【０００８】
上述した課題を解決するため、この考案にあっては、地中に埋設される埋設ボックス本体１と、この埋設ボックス本体１の天井盤２の開口部３に連通させて連結固定される縁塊体１０と、埋設ボックス本体１上に縁塊体１０を連結固定させる連結手段５とを備えて成り、連結手段５は、縁塊体１０の周縁で外方に突出させて縁塊体１０に一体状になっている連結具７と、この連結具７に挿通され、天井盤２上に配置されているインサート６にねじ込まれる長ネジ材１１とから成ることを特徴とする。
埋設ボックス本体１と縁塊体１０との間には、開口部３に連通させて調整リング２０が介在され、この調整リング２０は、調整リング２０の周縁で外方に突出させて調整リング２０と一体状になっている連結具７を備えていることで構成することができる。
連結具７は、縁塊体１０あるいは調整リング２０に埋め込まれる埋設部８と、縁塊体１０あるいは調整リング２０から露出され、インサート６にねじ止めされるようネジ挿通孔が開穿されている連結部９とを有して、また、連結部９は天井盤２に当接するよう縁塊体１０あるいは調整リング２０の底面と面一状に構成することができる。
連結手段５の長ネジ材１１は、積み重ねた調整リング２０と縁塊体１０とで上下に配されている連結具７それぞれに挿通させて天井盤２のインサート６にねじ込まれるものとして構成することができる。
【０００９】
以上のように構成されたこの考案に係る埋設ボックスは、埋設ボックス本体１における天井盤２の開口部に連通させて縁塊体１０を連結手段５によって天井盤２上に連結固定させ、また高さを調整させる調整リング２０を埋設ボックス本体１と縁塊体１０との間に介在させて同様に連結手段５によって連結固定させる。
連結具７は縁塊体１０、調整リング２０それぞれに一体状にされて周縁から突出状に配されており、天井盤２上に載置し、インサート６に対応合致させて長ネジ材１１をねじ込ませることで、必要に応じ調整リング２０を介在させて縁塊体１０を埋設ボックス本体１上に連結固定させる。
連結具７の埋設部８は連結具７自体を縁塊体１０あるいは調整リング２０に一体状に埋設させ、連結部９に挿通させた長ネジ材１１のインサート６へのねじ込みで、埋設ボックス本体１、調整リング２０を埋設ボックス本体１の天井盤２に強固に固定させる。
縁塊体１０あるいは調整リング２０の底面と面一状の連結部９は、縁塊体１０、調整リング２０それぞれを天井盤２面にしっくり当接させ、埋設ボックス本体１上に載置したときの安定性を増大させる。
また、埋設ボックス本体１と縁塊体１０との間に高さ調整用の調整リング２０を介在させたとき、それぞれの連結具７に挿通させてインサート６にねじ込ませた長ネジ材１１が積み重ね状の縁塊体１０、調整リング２０を共に一体的にして埋設ボックス本体１に固定させる。
【考案の効果】
【００１０】
この考案は以上説明したように構成されているため、地中に埋設される埋設ボックス本体１上に載置される出入り用の枠状の縁塊体１０、更にはこの縁塊体１０と共に高さ調整のために介在される枠状の調整リング２０との結合組立に際し、埋設ボックス本体１に連結するための連結具７を縁塊体１０あるいは調整リング２０等に埋め込み一体化させてあるから、その連結具７の埋設ボックス本体１の天井盤２に対するねじ止めで埋設ボックスを組立ることができる。
【００１１】
すなわち、これはこの考案において、埋設ボックス本体１上に、縁塊体１０更には調整リング２０等を連結固定させる連結手段５を、縁塊体１０の周縁で外方に突出させて縁塊体１０に一体状になっている連結具７と、この連結具７に挿通され、天井盤２上に配置されているインサート６にねじ込まれる長ネジ材１１とから成るものとして構成したからである。これによって、埋設ボックス本体１上に縁塊体１０を、また調整リング２０を介在させてこの調整リング２０と共に縁塊体１０を強固にして安定的な状態で埋設ボックス本体１に連結固定できる。
【００１２】
また、連結手段５の連結具７は、縁塊体１０あるいは調整リング２０に埋め込まれる埋設部８と、縁塊体１０あるいは調整リング２０から露出され、インサート６にねじ止めされるようネジ挿通孔が開穿されている連結部９とを有しているから、縁塊体１０、調整リング２０それぞれを埋設ボックス本体１の天井盤２上に載置セットし、連結部９に挿通させる長ネジ材１１のインサート６に対するねじ込みで、縁塊体１０、調整リング２０を埋設ボックス本体１に連結固定できる。
【００１３】
連結固定時では、連結具７が縁塊体１０、調整リング２０と一体化されていることで、連結具７を別部材として保管、用意する必要がなく便利であり、また連結部９が縁塊体１０、調整リング２０底面と面一状であることと相俟って、埋設ボックス本体１に安定した状態でしっかりと固定できる。
【００１４】
調整リング２０上に縁塊体１０を積み重ねて埋設ボックス本体１に連結固定するとしても、埋設ボックス本体１の連結具７、調整リング２０の連結具７それぞれを対応合致させて共通する長ネジ材１１によってインサート６にねじ込ませればよいから、複数段構成となっても面倒な連結固定作業を必要としない。
【００１５】
また、傾斜地等で埋設ボックス本体１を埋設する場合には、埋設ボックス本体１と縁塊体１０との間、あるいは調整リング２０と縁塊体１０との間にその傾斜態様に合わせたモルタル・コンクリート材等の傾斜調整材３０を介装させることで、傾斜地面に対応してこれと面一状となるように蓋４を設置できる。
【００１６】
尚、上記の課題を解決するための手段、効果の効果の項それぞれにおいて付記した符号は、図面中に記載した構成各部を示す部分との参照を容易にするために付した。この考案は、これらの記載、図面中の符号等によって示された構造・形状等に限定されない。
【図面の簡単な説明】
【００１７】
【図１】この考案を実施するための一形態を示す分解斜視図である。
【図２】同じく連結手段の斜視図である。
【図３】同じく埋設ボックス本体上に縁塊体を連結固定した組立時の要部断面図である。
【図４】同じく埋設ボックス本体上に調整リングを介在させて縁塊体を連結固定した組立時の要部断面図である。
【図５】同じく傾斜地に埋設する場合に、傾斜調整材を介装して組み立てる場合の要部断面図である。
【考案を実施するための形態】
【００１８】
以下、図面を参照してこの考案を実施するための一形態を説明すると、図において示される符号１は地中に埋設されるハンドホール、マンホール等の埋設ボックス本体であり、例えば底壁を備えた所定の長さ、奥行き、深さで形成されていて、周壁の一部は薄肉状にして外部との配管等を接続する開口を形成可能にしているノックアウト部となっている。この埋設ボックス本体１自体は、埋設現場に対応して平面から見て略矩形状としたり、略円形状としたり等の適宜な所定形状を呈している。また、必要に応じ、この埋設ボックス本体１は、深さ方向すなわち上下方向に沿って例えば２乃至３個の適当数で分割形成されることもあり、この分割形態にあって上段側に配置される分割体には底部が形成されずに筒状に構成される。
【００１９】
そして、最上段の分割体には、これの上面における上部開口において上部開口を閉塞する天井盤２が設けられており、この天井盤２自体は、最上段の分割体と一体状に形成されたり、設置現場で分割体の上部開口部位に連結固定されたりし、出入口に通じる開口部３が開口形成されている。
【００２０】
この最上段の分割体の天井盤２には縁塊体１０、必要に応じ調整リング２０が開口部３と連通される状態で連結固定される。縁塊体１０は作業員の出入り、機器の搬出入その他のための出入口を有する枠状に形成され、調整リング２０は埋設された埋設ボックス本体１と地表面との間の高さを調整するよう、同様に枠状に形成されている。これらの縁塊体１０、調整リング２０はともに、平面から見て例えば略円形状、略矩形状等を呈する枠状に形成され、埋設されるボックス本体１の最上段に位置する分割体の天井盤２面位置から地表面に至る高さ・深さにほぼ対応した高さを備え、縁塊体１０の開口部分には例えばこの縁塊体１０自体の内周に配置された枠体によって支持された鉄製の蓋４が施蓋されるようになっている。
【００２１】
そして、この縁塊体１０と天井盤２とには、後述するように調整リング２０と天井盤２とにも、天井盤２上に縁塊体１０あるいは調整リング２０を載置した状態で天井盤２に連結固定させる連結手段５が構成されている。この連結手段５は、天井盤２面に配されているインサート６と、このインサート６にねじ止めされるよう縁塊体１０の周縁で外方に突状に配置されて、縁塊体１０と一体状となっている連結具７とから成り、連結具７はこれの基部が例えば縁塊体１０内に埋入されていて、縁塊体１０から外方に突出されている突出部分がインサート６にねじ止めされる。この連結手段５におけるインサート６、連結具７それぞれは天井盤２に縁塊体１０が載置されたとき、相互に対応合致する位置に配装形成されている。図示にあって、この連結手段は平面から見て周縁に９０°間隔にして計４箇所で配装されるも、その位置、数等はこの図示例に限定されない。
【００２２】
インサート６は、雌ネジのねじ込み端面を露出させて天井盤２の所定位置に予め埋設されるもので、例えばコンクリート材製として構成するときの天井盤２におけるコンクリー材の打設時に埋め込まれる。
【００２３】
連結具７は図３に示されるように、縁塊体１０に埋め込まれる埋設部８と、縁塊体１０から露出され、インサート６にねじ止めされるようネジ挿通孔が開穿されている連結部９とを有して成り、側面からみて略く字形を呈している。連結部９は縁塊体１０が天井盤２上に載置されたときに、天井盤２の上面にしっくりと当接するように、縁塊体１０底面と面一状となるように水平方向に沿って、また望ましくは縁塊体１０の直径線に合致する放射方向に沿って縁塊体１０から突出しており、そのネジ挿通孔による所定の長さを有する長ボルトの如き長ネジ材１１のインサート６へのねじ止めが円滑になるようにしている。尚、ネジ挿通孔は、縁塊体１０の放射方向に沿って長くなっている長孔状とすることで、インサート６位置とのねじ止め位置の調整を可能にする。
【００２４】
埋設部８は、縁塊体１０における周縁部に抜脱されないように埋め込まれ、埋め込まれることで連結部９を縁塊体１０外方に向けて、すなわち縁塊体１０自体の外側面の基端から突出させている。また、埋設部８は、縁塊体１０の周縁部において、その外側面に対して内方にやや傾斜している状態で埋め込まれることで、外部からの衝撃その他によっては容易には抜脱されないようになっており、埋設部８自体は、例えば二股山状に形成することもできる。尚、埋め込み後の容易な抜脱を阻止するように、例えば埋設部８にピン材、長ネジ材その他の突状部となる突状部材等を一体的に形成し、縁塊体１０のコンクリート材との一体化を図っておくこともできる。
【００２５】
この連結具７は、縁塊体１０を天井盤２にねじ止め固定したときに強固であることが望ましく、そのため連結具７自体は例えば図２に示されるように肉厚に形成される例えば鋳物製のものとすることも可能である。そして、前記突状部材と同様に、埋設部８には例えば窪み状に、あるいは透孔状、突部状にした凝固一体部８Ａを形成して縁塊体１０形成のコンクリート材との一体化が得られようにし、また、連結部９の周縁は縁取りを呈する突隆状に形成された補強構造のものとする。連結部９におけるねじ止め用のネジ挿通孔は外部と連通する切欠状となすことで、連結部９自体を二股状にして、天井壁２のインサート６にねじ込む長ネジ材１１の挿通配置が、例えば連結部９に対してその開口側の側方から直接に挿通できるものとして、簡単になるようにしておくとよく、長ネジ材１１による円滑、迅速なねじ止め作業が可能なようにしてある。
【００２６】
図示例の連結具７では、その埋設部８は略矩形状にされ、連結部９は略変形六角形状に形成されているも、埋設部８、連結部９それぞれの形状はこれらに限定されないことは勿論であり、埋設部８では縁塊体１０との一体埋設化が得られ、連結部９ではねじ止めによる縁塊体１０と天井盤２との連結及びそれを維持する補強連結化が図れればよい。
【００２７】
そして、このような連結具７は、上記のように調整リング２０にも同様に設けられており、その配置位置、配置数、埋設構造等の配置形態は、縁塊体１０における連結具７と同様であるので、詳細な説明は省略する。
【００２８】
また、埋設ボックス本体１を傾斜地等で埋設する場合、その傾斜地面と蓋４とが面一状となるように、埋設ボックス本体１に対して縁塊体１０更には調整リング２０を傾斜配置させるセメント・コンクリート材の如き傾斜調整材３０が埋設ボックス本体１上、調整リング２０上に、現場作業によって介装されるものとしてある。
【００２９】
次にこれの使用の一例を説明すると、例えば地中に電線管路を敷設する場合等で、その分岐・集約場所等で埋設される。掘削された埋設場所で埋設ボックス本体１を適宜深さで設置し、埋設ボックス本体１の天井盤２位置と地表面との間隔・高さ等に対応して、縁塊体１０のみを配置するか、調整リング２０を介在させて縁塊体１０を配置するかして連結手段５を介して連結固定する。図３に示すように、縁塊体１０のみを天井盤２面に固定する場合には、天井盤２に予め配置されているインサート６位置に縁塊体１０の周縁に突出している連結具７を対応合致するようにして天井盤２上に載置セットし、連結部９に挿通させた長ネジ材１１をインサート６にねじ込むことで連結固定する。
【００３０】
図４に示すように、調整リング２０を介在させる場合には、同様に調整リング２０の周縁に突出している連結具７、縁塊体１０の周縁に突出している連結具７それぞれを上下で対応合致させて順次に積み重ね、またこれらの連結具７それぞれを天井盤２上のインサート６位置に対応合致させる。そして、縁塊体１０の連結具７、調整リング２０の連結具７に長めの長ネジ材１１を上下方向で挿通し、インサート６にねじ込むのであり、必要に応じて調整リング２０の連結具７をナット止めする。
【００３１】
次いで、埋設ボックス本体１、縁塊体１０更には調整リング２０に土砂等を被せ、埋め込むのであり、埋設ボックス本体１内に配装される各機器・部材等を保護するよう縁塊体１０には蓋４が開閉可能にして施蓋され、適宜にロックされる。
【００３２】
尚、調整リング２０は必要があれば複数段状にして積み重ねることもでき、その場合には、それらの連結具７に共通する長ネジ材１１を挿通させてインサート６にねじ込めばよい。
【００３３】
また、図５に示すように、埋設ボックス本体１を傾斜地に埋設する場合には、埋設ボックス本体１の天井盤２と縁塊体１０との間に、あるいは適数段に積み重ねた調整リング２０と縁塊体１０との間に、傾斜態様例えば傾斜方向、傾斜角度等に対応させてモルタル・コンクリート材等の傾斜調整材３０を介装する。この傾斜調整材３０は、埋設現場における傾斜態様に応じて調整構成されるもので、このような傾斜設置態様であっても、連結具７における埋設部８の外部開放された溝状のネジ挿通孔によって、長ネジ材１１でしっかりと連結固定できる。
【符号の説明】
【００３４】
１…埋設ボックス本体                    ２…天井盤
３…開口部                              ４…蓋
５…連結手段                            ６…インサート
７…連結具                              ８…埋設部
８Ａ…凝固一体部                        ９…連結部
１０…縁塊体                            １１…長ネジ材
２０…調整リング
３０…傾斜調整材
【図１】
0003166082.tif 000003
【図２】
0003166082.tif 000004
【図３】
0003166082.tif 000005
【図４】
0003166082.tif 000006
【図５】
0003166082.tif 000007